(57)【要約】【課題】専用のチルトセンサを設けることなく、ディスクチルトを検出及び補正することが可能なチルト検出装置を提供する。【解決手段】予めプリピットが形成されたディスクについては、プリピット検出信号の振幅レベルとディスクチルト量とは相関を有する。即ち、ディスクチルト量がゼロのときにプリピット信号の振幅レベルが最大となる。よって、プリピット検出信号の振幅レベルが最大となるようにチルト補正量を制御することにより、専用のチルトセンサなどを使用することなくチルト補正を行うことができる。【選択図】　　　図１
2004022127.tif 000002
【特許請求の範囲】
【請求項１】
プリピットが形成されたディスクのチルト補正装置において、
前記ディスクに光ビームを照射し、前記ディスクからの戻り光に基づいて前記プリピットの有無を示すプリピット信号を生成するプリピット信号生成部と、
前記プリピット信号に基づいて最適チルト補正量を決定する補正量決定部と、前記最適チルト補正量に基づいてチルト補正を行うチルト補正部と、を備えることを特徴とするチルト補正装置。
【請求項２】
前記補正量決定部は、前記プリピット信号の振幅レベルに基づいて最適チルト補正量を決定することを特徴とする請求項１に記載のチルト補正装置。
【請求項３】
前記補正量決定部は、
複数のチルト補正量について前記プリピット信号の振幅レベルを検出する振幅レベル検出手段と、
前記振幅レベルが最大となるチルト補正量を前記最適チルト補正量と決定する手段と、を備えることを特徴とする請求項２に記載のチルト検出装置。
【請求項４】
前記振幅レベル検出手段は、前記複数のチルト補正量について、前記ディスク上の同一の位置における前記振幅レベルを検出することを特徴とする請求項３に記載のチルト補正装置。
【請求項５】
前記振幅レベル検出手段は、前記ディスクの未記録領域において前記振幅レベルを検出することを特徴とする請求項３又は４に記載のチルト補正装置。
【請求項６】
前記振幅レベル検出手段は、前記ディスクの記録済み領域の再生時又は前記ディスクへの記録時においては、記録情報のスペース部において前記振幅レベルを検出することを特徴とする請求項３又は４に記載のチルト補正装置。
【請求項７】
前記振幅レベル検出手段は、前記プリピット信号のピークレベル及び／又はボトムレベルを検出するレベルホールド回路であることを特徴とする請求項３乃至６のいずれか一項に記載のチルト補正装置。
【請求項８】
前記ディスク上の複数の領域毎に、前記最適チルト補正量を記憶する記憶手段をさらに備え、
前記チルト補正部は、前記記憶手段に記憶された前記最適チルト補正量に基づいてチルト補正を行うことを特徴とする請求項１乃至７のいずれか一項に記載のチルト補正装置。
【請求項９】
プリピットが形成されたディスクのチルト補正方法において、
前記ディスクに光ビームを照射する工程と、
前記ディスクからの戻り光に基づいて前記プリピットの有無を示すプリピット信号を生成する工程と、
前記プリピット信号に基づいて最適チルト補正量を決定する工程と、
前記最適チルト補正量に基づいてチルト補正を行う工程と、を有することを特徴とするチルト補正方法。
【発明の詳細な説明】
【０００１】
【発明の属する技術分野】
本発明は、光ディスクなどの光記録媒体の情報記録装置及び情報再生装置におけるチルト補正に関する。
【０００２】
【従来の技術】
光ディスクに対して情報を記録する際、及び、光ディスクから情報を再生する際にはチルト補正が行われる。チルト補正とは、光ディスクの情報記録面に対する光ビームの傾き（以下、「ディスクチルト」とも呼ぶ。）を補正することをいう。正しくチルト補正が行われている状態では、光ビームは光ディスクの情報記録面に対して垂直に入射することになる。
【０００３】
【発明が解決しようとする課題】
このようなディスクチルトの検出は、従来は専用のチルトセンサにより行われていた。チルトセンサは、光ディスクの情報記録面に対して光源からディスクチルト検出用の専用光を照射し、光ディスクからの反射光を受光してディスクチルト量を検出する構成を備えている。
【０００４】
このような専用のチルトセンサを使用する際の問題の１つは、専用のチルトセンサ自体が物理的に大きなものとなるため、チルトセンサを搭載したピックアップ装置はそのサイズが必然的に大型化してしまうということである。このため、ノート型パーソナルコンピュータなどに使用されるスリムタイプのディスクドライブ装置では、チルトセンサを搭載することができない。
【０００５】
本発明は、以上の点に鑑みてなされたものであり、専用のチルトセンサを設けることなく、ディスクチルトを補正することが可能なチルト補正装置を提供することを課題とする。
【０００６】
【課題を解決するための手段】
請求項１に記載の発明は、プリピットが形成されたディスクのチルト補正装置において、前記ディスクに光ビームを照射し、前記ディスクからの戻り光に基づいて前記プリピットの有無を示すプリピット信号を生成するプリピット信号生成部と、前記プリピット信号に基づいて最適チルト補正量を決定する補正量決定部と、前記最適チルト補正量に基づいてチルト補正を行うチルト補正部と、を備えることを特徴とする。
【０００７】
請求項９に記載の発明は、プリピットが形成されたディスクのチルト補正方法において、前記ディスクに光ビームを照射する工程と、前記ディスクからの戻り光に基づいて前記プリピットの有無を示すプリピット信号を生成する工程と、前記プリピット信号に基づいて最適チルト補正量を決定する工程と、前記最適チルト補正量に基づいてチルト補正を行う工程と、を有することを特徴とする。
【０００８】
【発明の実施の形態】
以下、図面を参照して本発明の好適な実施形態について説明する。本実施形態は、ＤＶＤ−Ｒ、ＤＶＤ−ＲＷなどのプリピットが形成されている光ディスクにおいて、プリピット信号の振幅レベルとディスクチルト量とが相関関係にあることに着目し、プリピット信号を利用してディスクチルト量の検出及びチルト補正を行うものである。
【０００９】
図１に、プリピットが形成されたディスクと、プリピット信号との関係を模式的に示す。ディスク１は、例えばＤＶＤ−Ｒ、ＤＶＤ−ＲＷなどであり、その記録面上にはグルーブＧｒとランドＬｄとが交互に螺旋状に形成されている。グルーブＧｒは情報を記録するための記録トラックとして機能し、隣接するグルーブＧｒ間にランドＬｄが形成されている。ランドＬｄ上には、所定の規則に従ってランドプリピット（Ｌａｎｄ　Ｐｒｅ−Ｐｉｔ：以下、「ＬＰＰ」と呼ぶ。）が形成されている。ランドプリピットＬＰＰは、ディスク１上のアドレス情報を含む。具体的には、あるグルーブＧｒに対して、そのディスク１上のアドレス情報等が、当該グルーブＧｒの外周側のランドＬｄ上に形成されたＬＰＰに記録されている。
【００１０】
ＬＰＰは、図１に示す４分割光検出器ＰＤにより検出することができる。４分割光検出器ＰＤは、４つの検出面Ａ〜Ｄを有し、それぞれがディスクからの受光量を光電変換して得られる検出信号Ｓａ〜Ｓｄを出力する。各検出面Ａ〜Ｄからの検出信号Ｓａ〜Ｓｄは、３つの加算器４１〜４３により演算され、ＬＰＰ信号が生成される。ＬＰＰ信号は以下の式で与えられる：
ＬＰＰ信号　＝　（Ｓａ＋Ｓｄ）−（Ｓｂ＋Ｓｃ）　　　　　　　（式１）
４分割光検出器ＰＤは、情報記録装置又は情報再生装置内のピックアップ内に設けられる。情報記録装置又は情報再生装置のトラッキングサーボ機構により、４分割光検出器ＰＤの検出面Ａ及びＤと検出面Ｂ及びＣとの境界が記録トラック（グルーブ）Ｇｒの中央をトレースするように制御された状態で、検出信号Ｓａ〜Ｓｄを使用して式１に示す演算を行うことにより、ＬＰＰの存在を示すプリピット信号であるＬＰＰ信号が得られる。
【００１１】
なお、ＬＰＰはある記録トラックＧｒに対して、その内周側及び外周側のランド上に存在する。ある記録トラックＧｒに対して、外周側に存在するＬＰＰは、式１により負の検出信号として検出され、内周側に存在するＬＰＰは式１により正の検出信号として検出されることになる。
【００１２】
式１から理解されるように、ＬＰＰ信号は４分割光検出器ＰＤの半径方向のプッシュプル信号（ラジアルプッシュプル信号）により得られる。よって、理論的に、ピックアップからの光ビームの照射方向とディスクの記録面と角度が垂直からずれるほど、即ちディスクチルト量が大きいほど、ＬＰＰ信号の振幅レベルは小さくなり、ディスクチルト量が小さいほどＬＰＰ信号の振幅レベルは大きくなるという相関関係がある。
【００１３】
図２に、そのようなディスクチルト量とＬＰＰ信号の振幅レベルとの相関関係を示す測定結果を示す。図示のように、ＬＰＰ信号の振幅レベルが大きいほどディスクチルト量は小さく、ＬＰＰ信号の振幅レベルが最大の点でディスクチルト量はほぼゼロとなっている（但し、この実験結果ではオフセットΔＦを含んでいる）。ディスクチルト量とＬＰＰ信号の振幅レベルとはこのような相関関係を有するので、ディスクチルト量をゼロに維持するようにチルト補正を行うためには、ＬＰＰ信号の振幅レベルを最大値に維持すればよいことが理解される。なお、図２におけるオフセットΔＦは実験方式に依存するオフセット分であり、実際の補正時には、このオフセット分を除去するようにチルト補正量を調整すればオフセット分が問題となることはない。
【００１４】
なお、図２には、ディスクから得られるＲＦ信号の振幅レベル及びジッタ量とディスクチルト量との関係も示されている。図２から理解されるように、ＲＦ信号とディスクチルト量との間にも、ＬＰＰ信号とディスクチルト量の場合とほぼ同様の相関関係があることが理解される。また、ジッタ量に関しては、ディスクチルト量が小さいほどジッタ量が小さくなることがわかる。
【００１５】
本実施形態では、以上考察したようなディスクチルト量とＬＰＰ信号レベルとの相関関係に基づいて、ディスクチルト量を検出し、チルト補正を行う。図３にチルト補正装置の概略構成を示す。
【００１６】
図３において、ディスク１はスピンドルモータ６により所定の線速度で回転される。ピックアップ２は、ディスク１に対して記録及び／又は再生のための光ビームを照射し、その戻り光を受光する。ピックアック２は、図１に示す４分割光検出器ＰＤを備え、各検出面Ａ〜Ｄからの検出信号をＬＰＰ信号生成部３へ供給する。
【００１７】
ＬＰＰ信号生成部３は図１に示す加算器４１〜４３などを備え、式１に従ってＬＰＰ信号を生成してチルト補正量決定部４へ供給する。チルト補正量決定部４は、例えばレベルホールド回路などによりＬＰＰ信号の振幅レベルを検出する。また、上述のディスクチルト量とＬＰＰ信号の振幅レベルとの相関関係を利用して、ディスクチルト量をゼロにするために要求される最適チルト補正量を決定する。そして、チルト補正量決定部４は、決定した最適チルト補正量をピックアップ２内部のチルト補正部２ａに供給する。
【００１８】
チルト補正部２ａは、入力された最適チルト補正量に従って光ビームの照射方向を調整することによりチルト補正を行う。こうして、ＬＰＰ信号を利用してディスクチルト量の検出及びチルト補正を実行することができる。
【００１９】
【実施例】
次に、上記の実施形態の好適な実施例を説明する。
【００２０】
［情報記録再生装置］
図４は、本発明の実施例に係る情報記録再生装置の概略構成を示すブロック図である。図４に示すように、ディスク１はスピンドルモータ６により一定の線速度で回転される。図４において、情報記録再生装置１００は、大別して、記録データをディスク１に記録するための記録系３０と、ディスク１に記録されているデータを再生するための再生系３２と、チルト補正を行うためのチルト補正装置５０を備えて構成される。なお、記録系３０及び再生系３２の構成は、既知のものとすることができるので、ここでは詳細な説明は省略する。
【００２１】
チルト補正装置５０は、ピックアップ２、ＬＰＰ信号生成部３、ボトムホールド回路１１、マイクロコンピュータ（以下、「マイコン」と呼ぶ。）１２、チルト補正部用ドライバ１３、及びピックアップ２内に設けられたチルト補正部２ａにより構成される。チルト補正部２ａは、各種のチルト補正機構により構成することができ、例えばディスクに照射する光ビームの光軸を機械的に調整する機構、液晶素子を利用した装置、又は、アクチュエータなどとすることができる。また、マイコン１２内には、補正プロファイル用メモリ１２ａが設けられている。
【００２２】
［チルト補正装置］
以下、チルト補正装置５０の動作について説明する。ピックアップ２は、図１に示す４分割光検出器ＰＤを備え、各検出面Ａ〜Ｄからの検出信号Ｓａ〜ＳｄをＬＰＰ信号生成部３へ供給する。ＬＰＰ信号生成部３は、図１に示す加算器４１〜４３を備え、式１に従ってＬＰＰ信号を生成してボトムホールド回路１１へ供給する。
【００２３】
ボトムホールド回路１１は、ＬＰＰ信号のボトムレベルをホールドし、マイコン１２に供給する。マイコン１２は、このレベルを利用してチルト補正を行うことになる。
【００２４】
ここで、ボトムホールド回路１１がＬＰＰ信号のレベルをホールドする位置は、ＬＰＰ信号が安定的に検出できる位置であり、具体的には、（ａ）ディスク１の未記録領域、又は、（ｂ）ディスクの記録済み領域内のスペース部、又は（ｃ）ディスクへのデータ記録中においては記録データのスペース部である。図５にディスク１から得られるＬＰＰ信号波形の例を示す。図５（ａ）はディスクの未記録領域の再生時に得られるＬＰＰ信号波形であり、図５（ｂ）はディスクの記録済み領域の再生時に得られるＬＰＰ信号波形であり、図５（ｃ）はディスクへの記録中に得られるＬＰＰ信号波形である。なお、図５（ｃ）は図５（ａ）及び図５（ｂ）と比較して、縦軸、即ちＬＰＰ信号レベルのスケールが１０倍で示されている。
【００２５】
図５（ａ）に示すように、ディスクの未記録領域においては、記録トラック（グルーブ）Ｇｒには未だ記録マーク（ピット）が形成されていないため、検出信号にはＬＰＰに対応する振幅レベルの変化のみが含まれる。
【００２６】
一方、ディスクの記録済み領域では、記録トラックＧｒに既に記録マークが形成されているため、ＬＰＰ信号はその影響を受ける。その結果、図５（ｂ）に例示すように、振幅レベルが小さくなったり、波形自体が図５（ａ）と比較して変形したりする。つまり、記録済み領域では既に記録されているデータのＲＦ信号成分がＬＰＰ信号に含まれるために、ＬＰＰ信号波形は不安定となる。
【００２７】
また、ディスクへの記録中においては、ディスクへ照射される光ビームは、一定レベルの読取ビームを照射する再生時とは異なり、記録時のライトストラテジに従ったパルス列を含む記録パルス列となる。そのため、ディスクからの戻り光量に基づいて生成されるＬＰＰ信号の振幅レベルは記録パルス列のレベル変化の影響を受け、図５（ｃ）に示すように不安定になる。図５（ｃ）においては、記録パルス列のトップパルスにより大きなパワーの光ビームが照射されるため、その戻り光量も大きくなり、ＬＰＰ信号の振幅レベルも図５（ａ）に示す未記録領域の場合の１０倍近い振幅レベルを示している（それゆえ、図５（ｃ）の縦軸は１０倍のスケールで示している）。よって、記録中においても、ＬＰＰ信号波形は不安定である。
【００２８】
そこで、本実施例では、ボトムホールド回路１１は、上述のように（ａ）ディスクの未記録領域、又は、（ｂ）ディスクの記録済み領域内のスペース部、又は（ｃ）ディスクへのデータ記録中においてはスペース部において、ＬＰＰ信号の振幅レベルをホールドしてチルト補正に使用するように構成する。これにより、ＬＰＰ信号のレベルが安定的な期間のみにおいてＬＰＰ信号を取得し、それに基づいてチルト補正を行うことができるので、正確なチルト補正が可能となる。
【００２９】
なお、図５（ａ）〜（ｃ）はＬＰＰ信号の極性がＬＰＰの部分で負となる場合を示しているので、この場合には最適チルト補正量の決定においては、ＬＰＰ信号の振幅レベルの絶対値が最大となるときのチルト補正量を最適チルト補正量と決定することになる。
【００３０】
また、記録中のチルト補正については、ＬＰＰに同期して記録を行う場合には、１４Ｔスペースにおいてボトムホールド回路１１がＬＰＰ信号レベルホールドすることが好ましい。この理由は、１４Ｔスペースはスペース期間が長いのでＬＰＰ信号レベルが安定的であること、及び、ＬＰＰ同期記録の場合には１４Ｔスペースの位置にＬＰＰが存在する確率が高いこと、にある。
【００３１】
［チルト補正］
マイコン１２は、チルト補正部用ドライバ１３を介してチルト補正部２ａを制御し、チルト補正量を変更することにより、ボトムホールド回路１１から得られるＬＰＰ信号の振幅レベル（絶対値）が最大となるときのチルト補正量を取得する。即ち、チルト補正部２ａによるチルト補正量を徐々に変更しつつ、そのときのＬＰＰ信号の振幅レベルをボトムホールド回路１１から取得することにより、チルト補正部２ａによるチルト補正量と、そのときのＬＰＰ信号の振幅レベルとの対応を得る。図２を参照して説明したように、ディスクチルト量がゼロであるときにＬＰＰ信号の振幅レベルが最大となる関係があるので、逆にＬＰＰ信号の振幅レベルが最大となるときのチルト補正量が、ディスクチルトを最小にするチルト補正量であるはずである。よって、マイコンは、チルト補正部によるチルト補正量を変更しつつＬＰＰ信号の振幅レベルをボトムホールド回路１１から取得し、ＬＰＰ信号の振幅レベルが最大となるときのチルト補正量を取得する。そして、そのときのチルト補正量を、最適チルト補正量として補正プロファイルメモリ１２ａに記憶する。
【００３２】
マイコン１２は、上記の処理を、ディスクの複数の領域について行い、各領域毎に最適チルト補正量を取得して補正プロファイルメモリ１２ａ内に記憶する。最適チルト補正量を記憶する領域は、ディスク記録領域を所定の方法で複数に分割して規定することができる。例えば、ディスクの内周側から外周側に渡り、ディスクの半径位置（例えばディスク中心からの距離）によりディスク記録面を３〜４個の領域に区分し、各領域毎に最適チルト補正量を決定、記憶することができる。
【００３３】
また、上記のようにチルト補正量を変更しつつＬＰＰ信号の振幅レベルを取得して最適チルト補正量を求める際には、同一のＬＰＰに対応するＬＰＰ信号の振幅レベルを使用することが好ましい。ＤＶＤ−ＲやＤＶＤ−ＲＷなどにおいては、ディスク記録面上に予め形成するプリピットのサイズを規格化しているものの、実際のディスクではそのような規格の範囲内でもプリピットのサイズが異なることがある。従って、プリピットのサイズが異なる位置で取得したＬＰＰ信号を使用したのでは、最適チルト補正量を正確に得ることはできない。よって、マイコン１２は、最適チルト補正量の決定処理においては、ディスク上の同一領域のＬＰＰに対応するＬＰＰ信号を繰り返し検出して、最大振幅レベルが得られる最適チルト補正量を決定する。
【００３４】
ここで、ディスク上の同一領域とは、例えば同一記録トラック、同一アドレス、同一区間などとすることができる。即ち、同一の１つ又は複数のＬＰＰに対応するＬＰＰ信号の振幅レベルを取得して、最適チルト補正量を決定するのである。実際には、マイコン１２はピックアップ２を制御して同一の記録トラックにおいて繰り返しトラックジャンプを行い、又は、同一アドレスでポーズ状態とすることにより同一アドレスを繰り返し読み取り、又は、所定長さの同一区間を繰り返し読み取ることにより、同一のＬＰＰに対応するＬＰＰ信号の振幅レベルを常に取得するようにすることができる。なお、マイコン１２は、同一のチルト補正量について複数回ＬＰＰ信号の振幅レベルを取得し、それらを平均化した振幅レベル値を最適チルト補正量の決定に使用することもできる。これにより、一時的に発生したようなノイズの影響を除去することができる。
【００３５】
以上の処理により、マイコン１２内の補正プロファイルメモリ１２ａ内には、予め区分されたディスク上の複数の領域毎に、ＬＰＰ信号の振幅レベルを最大とする、即ちディスチルト量が最小（ゼロ）とする最適チルト補正量が記憶される。よって、その後は、マイコンはディスクの記録／再生中に、この補正プロファイルメモリ１２ａに記憶された最適チルト補正量に従ってチルト補正部２ａを制御し、チルト補正を行えばよい。
【００３６】
［補正プロファイル作成処理］
次に、図６を参照して、上述した補正プロファイル作成処理の流れを説明する。図６は、補正プロファイル作成処理のフローチャートである。なお、図６に示す補正プロファイル作成処理は、ディスクが情報記録再生装置１００にセットされたときなどに、マイコン１２の制御に従って実行される。
【００３７】
まず、マイコン１２は、情報記録再生装置１００にディスクがセットされたか否かを判定する（ステップＳ１）。これは、例えばディスクの検出機構からの信号をマイコン１２が受け取ることにより実行される。
【００３８】
ディスクがセットされると、マイコン１２はピックアップ２を制御してディスク上の所定位置からＬＰＰ信号を取得する（ステップＳ２）。ここで所定位置とは、例えば前述のようにディスクの記録領域を複数領域に分割した場合の１つの領域である。そして、マイコン１２は、その位置でチルト補正量を変更しつつ繰り返しＬＰＰ信号の振幅レベルを取得し、ＬＰＰ信号の振幅レベルが最大となるチルト補正量、つまり最適チルト補正量を決定する（ステップＳ３）。そして、マイコン１２は、得られた最適チルト補正量を、その位置の情報と対応付けて補正プロファイルメモリ１２ａに記憶する（ステップＳ４）。
【００３９】
次に、マイコン１２は、ディスク上の所定領域の全てについて最適チルト補正量が得られたか否かを判定し（ステップＳ５）、得られた場合には処理を終了する。一方、所定領域の全てについて最適チルト補正量が得られていない場合には、処理はステップＳ２へ戻り、ステップＳ２〜Ｓ４を繰り返して、次の所定領域についての最適チルト補正量を取得し、記憶する。こうして、予め決められた全ての所定領域について最適チルト補正量が得られたら、処理は終了する。
【００４０】
［チルト補正処理］
次に、補正プロファイル作成処理により得られた補正プロファイルを利用して行われるチルト補正処理について図７を参照して説明する。図７は、チルト補正処理の流れを示すフローチャートである。なお、このチルト補正処理は、マイコン１２がチルト補正部用ドライバ１３やチルト補正部２ａを制御することにより行われる。
【００４１】
まず、マイコン１２は、ユーザによりディスクへの情報の記録又はディスクからの情報の再生指示がなされたか否かを判定する（ステップＳ１１）。そして、記録又は再生の指示がなされた場合、マイコン１２はＬＰＰなどを利用して記録又は再生の対象となるアドレスを取得し（ステップＳ１２）、そのアドレスに対応する最適チルト補正量を補正プロファイルメモリから取得する（ステップＳ１３）。そして、マイコン１２は、チルト補正部用ドライバ１３を制御して、得られた最適チルト補正量に従ってチルト補正を行う（ステップＳ１４）。なお、ステップＳ１２〜Ｓ１４は、記録又は再生動作中に実行される。
【００４２】
そして、マイコン１２はユーザにより記録又は再生の終了指示が入力されたか否かを判定し（ステップＳ１５）、終了指示が入力されるまでの間はステップＳ１２〜Ｓ１４の処理を繰り返す。そして、終了指示が入力されると、処理を終了する。
【００４３】
［変形例］
上記の実施例では、図６に示す補正プロファイル作成処理により予め補正プロファイルを作成して記憶しておき、ディスクの記録／再生時にそれを利用してチルト補正を行う例を説明した。しかし、補正プロファイルを作成することなく、ディスクの記録／再生中にリアルタイムでＬＰＰ信号の振幅レベルを取得し、その値が最大となるようにチルト補正を行うこともできる。この場合は、前述のように記録中であれば記録データのスペース期間、特に好ましくは１４Ｔスペースの期間にＬＰＰ信号の振幅レベルを取得する。また、再生中であれば、未記録領域又は記録済み領域のスペース部分においてＬＰＰ信号の振幅レベルを取得する。
【００４４】
また、上記の実施例では、ボトムホールド回路１１を使用してＬＰＰ信号の振幅レベルを検出している。この場合、図１に示す４分割光検出器ＰＤでは、記録トラックＧｒの外周側に存在するＬＰＰの振幅レベルを検出することになる。このボトムホールド回路１１の代わりに、ピークホールド回路を設け、記録トラックＧｒの内周側に存在するＬＰＰの振幅レベルを検出してチルト補正量の決定に使用することもできる。さらに、ピークホールド回路とボトムホールド回路の両者を設けて、記録トラックＧｒの内周側及び外周側の両方に存在するＬＰＰの振幅レベルを検出するように構成することもできる。
【００４５】
また、上記の補正プロファイル作成処理においては、ディスク上の全ての領域についてＬＰＰ信号を利用して最適チルト補正量を算出している。即ち、ＬＰＰ信号の振幅レベルを検出し、これが最大となるときのチルト補正量を最適チルト補正量と決定している。その代わりに、例えば、ＤＶＤ−Ｒのプリライト領域、ＤＶＤ−ＲＷのリーダブルエンボス（Ｒｅａｄａｂｌｅ　Ｅｍｂｏｓｓ）領域、あるいは既に情報の記録が行われている領域については、ＲＦ信号を得ることができるので、ＬＰＰ信号の振幅ではなく、ＲＦ信号の振幅を利用して最適チルト補正量を決定することもできる。図２に示すように、ＲＦ信号とディスクチルト量についても、ディスクチルト量がゼロのときにＲＦ信号の振幅レベルが最大となるという相関関係が存在する。よって、上記のようなＲＦ信号が得られる領域においては、チルト補正量を変化させつつＲＦ信号の振幅レベルを検出し、ＲＦ信号の振幅レベルが最大となるときのチルト補正量を最適チルト補正量と決定することもできる。
【００４６】
以上のように、本実施例においては、ディスクに予め記録されているＬＰＰの検出信号（ＬＰＰ信号）の振幅レベルに応じて、それが最大となるようにチルト補正を行う。よって、物理的にサイズの大きい専用のチルトセンサを設ける必要なく、チルト補正を行うことが可能となる。
【００４７】
また、本実施例では、ディスクチルト量の検出にＬＰＰ信号を用いているので、トラッキングサーボがかかっている状態でディスクチルト量を検出することができる。よって、前述のように補正プロファイルを作成する場合のみでなく、記録中、再生中又はポーズ中においてもディスクチルト量を検出することが可能であるという利点を有する。
【００４８】
さらに、本実施例では、専用のチルトセンサを用いた場合のように、ディスクチルト量の検出専用の検出光を使用するのではなく、情報の記録／再生のためにディスクに照射する光ビームの戻り光に基づいて得られるＬＰＰ信号を利用してディスクチルトを検出する。よって、専用のチルトセンサを用いる場合のように、チルト検出光と記録／再生光との平行度の誤差が生じることがないので、ディスクチルトの検出精度が向上する。
【図面の簡単な説明】
【図１】ディスク上のランドプリピット、及びＬＰＰ信号の生成方法を説明するための図である。
【図２】ディスクチルト量と、ジッタ、ＲＦ信号の振幅レベル及びＬＰＰ信号振幅レベルとの相関関係を示す図である。
【図３】好適な実施形態に係るチルト補正装置の構成を示すブロック図である。
【図４】本発明の実施例に係る情報記録再生装置の概略構成を示すブロック図である。
【図５】ディスクの未記録領域、記録済み領域及び記録中におけるＬＰＰ信号波形例を示す。
【図６】補正プロファイル作成処理のフローチャートである。
【図７】チルト補正処理の流れを示すフローチャートである。
【符号の説明】
１　ディスク
２　ピックアップ
２ａ　チルト補正部
３　ＬＰＰ信号生成部
４　チルト補正量決定部
６　スピンドルモータ
１１　ボトムホールド回路
１２　マイコン
１２ａ　補正プロファイルメモリ
１３　チルト補正部用ドライバ
３０　記録系
４１〜４３　加算器
３２　再生系
【図１】
2004022127.tif 000003
【図２】
2004022127.tif 000004
【図３】
2004022127.tif 000005
【図４】
2004022127.tif 000006
【図５】
2004022127.tif 000007
【図６】
2004022127.tif 000008
【図７】
2004022127.tif 000009